(57)【要約】【課題】小根太がパネル形成体から外れるのを抑制して作業性の向上を図ることが可能な床暖房パネルを提供する。【解決手段】加熱用長尺体２が装備された板状のパネル形成体４と小根太５とを並べて構成されるパネル本体４０と、そのパネル本体４０の表面側にパネル形成体４と小根太５とにわたって止着されるシート状均熱体３とが備えられ、シート状均熱体３に、小根太５の表面に対応する小根太用均熱体部分３Ｋとパネル形成体４の表面に対応するパネル形成体用均熱体部分３Ｐとを切り離す又は切り離すための切れ目３ｓが形成され、パネル本体４０の裏面側にパネル形成体４と小根太５とにわたって止着されるシート状保持体１４が備えられる。【選択図】図４
2008175492.tif 000002
【特許請求の範囲】
【請求項１】
加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、
前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されている床暖房パネルであって、
前記パネル本体の裏面側に前記パネル形成体と前記小根太とにわたって止着されるシート状保持体が備えられている床暖房パネル。
【請求項２】
加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、
前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されている床暖房パネルであって、
前記パネル形成体と前記小根太とが、前記パネル本体の表裏方向に沿う相対移動が阻止されるように係合されている床暖房パネル。
【請求項３】
加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、
前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されている床暖房パネルであって、
前記シート状均熱体における前記切れ目又は前記脆弱接続部が、前記パネル形成体と前記小根太との並び方向において、それらの境界に対応する位置から外れた位置に形成されている床暖房パネル。
【請求項４】
前記シート状均熱体における前記パネル形成体用均熱体部分のうちの前記小根太に隣接する小根太隣接部分に止着される状態で帯状の分離用非接着層が備えられ、
前記シート状均熱体のうちの前記小根太用均熱体部分とそれに隣接する前記分離用非接着層とからなる小根太対応箇所に、前記小根太用均熱体部分及び前記分離用非接着層のうちの少なくとも前記分離用非接着層を覆う状態で、且つ、前記シート状均熱体が前記パネル形成体に止着される止着力よりも弱い接着力にて前記分離用非接着層に貼着される状態で帯状の接着性シートが備えられている請求項１〜３のいずれか１項に記載の床暖房パネル。
【発明の詳細な説明】
【技術分野】
【０００１】
本発明は、加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されている床暖房パネルに関する。
【背景技術】
【０００２】
上記床暖房パネルは、床下地材上に配置して小根太にビスを捩じ込んだり、釘を打ちつけることにより、床下地材上に敷設するものであり、更に、そのように敷設した床暖房パネルの小根太の表面部に接着剤を塗布して、木質材等で形成された床仕上げ材を床暖房パネルの表面に配置することにより、床仕上げ材を接着剤にて小根太に固定した状態で床暖房パネルの表面に敷設する構成となっている。
【０００３】
そして、床仕上げ材に傷がつく等により、床暖房パネルの表面や周辺パネルの表面に敷設した床仕上げ材を張り替える場合があるが、床仕上げ材を床暖房パネルから剥がすときに、接着剤にて床仕上げ材に接着されている前記シート状均熱体における小根太用均熱体部分も一緒に剥がれることになる。そのとき、上述したような前記切れ目又は前記脆弱接続部において小根太用均熱体部分がパネル形成体用均熱体部分から分離されるようにして、パネル形成体用均熱体部分やパネル形成体に損傷を与えることを抑制するようにしている。
そして、このような床暖房パネルにおいて、従来では、前記シート状均熱体に形成される前記切れ目又は前記脆弱接続部が、前記パネル形成体と前記小根太との並び方向において、それらの境界に対応する位置に合わせて形成されており、又、前記切れ目が形成されるものでは、前記小根太は前記パネル形成体との間での接触面同士の摩擦保持力にてパネル本体の表裏方向の移動が阻止されるようになっており、前記脆弱接続部が形成されるものでは、前記小根太は、前記シート状均熱体との間での接着による保持力、並びに、前記パネル形成体との間での接触面同士の摩擦保持力によって、小根太のパネル本体の表裏方向の移動が阻止されるようになっていた（例えば、特許文献１参照。）。
【０００４】
【特許文献１】特開２００２−２７６９６８号公報
【発明の開示】
【発明が解決しようとする課題】
【０００５】
上記従来構成では、前記シート状均熱体に前記切れ目が形成されるものでは、前記小根太は前記パネル形成体との間で接触面同士の摩擦保持力にてパネル本体の表裏方向の移動が阻止されるものであるから、床暖房パネルを設置場所にて敷設する設置作業を行うとき等において、パネル本体の表裏方向が上下に向いているときに、小根太がパネル形成体から下方側に外れて脱落するおそれがある。
【０００６】
又、前記シート状均熱体に前記脆弱接続部が形成されるものでは、設置作業を行うときや運搬作業等において、作業に伴う引張り力によって前記シート状均熱体が脆弱接続部にて小根太用均熱体部分とパネル形成体用均熱体部分とに切り離されてしまうおそれがある。そして、このように前記シート状均熱体が小根太用均熱体部分とパネル形成体用均熱体部分とに切り離されていると、設置作業を行うとき等において、パネル本体の表裏方向が上下に向いているときに、小根太がパネル形成体から下方側に外れて脱落してしまうおそれがある。
【０００７】
このように小根太がパネル形成体から外れて脱落するおそれがあると、設置作業を行う場合に、作業者は、小根太が落下しないようにパネル本体を支持しながら設置作業を行わなければならず作業が煩わしいものとなり、それだけ設置作業を行うときの作業性が低下する不利がある。
【０００８】
本発明の目的は、小根太がパネル形成体から外れて脱落することを抑制して作業性の向上を図ることが可能な床暖房パネルを提供する点にある。
【課題を解決するための手段】
【０００９】
本発明に係る床暖房パネルは、加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されているものであって、その第１特徴構成は、前記パネル本体の裏面側に前記パネル形成体と前記小根太とにわたって止着されるシート状保持体が備えられている点にある。
【００１０】
第１特徴構成によれば、前記パネル本体の裏面側に前記パネル形成体と前記小根太とにわたって止着されるシート状保持体が備えられているから、前記パネル本体の裏面側において、シート状保持体によって前記パネル形成体と前記小根太とが接続される状態が維持されるのであり、設置作業を行う場合等において、パネル本体の表裏方向が上下に向いているときであっても、小根太が下方側に外れて脱落することを防止することができる。このように小根太がパネル形成体から外れて脱落することを抑制できることになり、作業性の向上を図ることが可能になる。
【００１１】
従って、第１特徴構成によれば、小根太がパネル形成体から外れて脱落することを抑制して作業性の向上を図ることが可能な床暖房パネルを提供できるに至った。
【００１２】
本発明の第２特徴構成は、加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されている床暖房パネルであって、前記パネル形成体と前記小根太とが、前記パネル本体の表裏方向に沿う相対移動が阻止されるように係合されている点にある。
【００１３】
第２特徴構成によれば、前記パネル形成体と前記小根太とが、前記パネル本体の表裏方向に沿う相対移動が阻止されるように係合されているから、設置作業を行う場合等において、パネル本体の表裏方向が上下に向いているときであっても、前記パネル形成体と前記小根太との係合によって、それらのパネル本体の表裏方向に沿う相対移動が阻止されるので、小根太が下方側に外れて脱落することを防止することができる。このように小根太がパネル形成体から外れて脱落することを抑制できることになり、作業性の向上を図ることが可能になる。
【００１４】
従って、第２特徴構成によれば、小根太がパネル形成体から外れて脱落することを抑制して作業性の向上を図ることが可能な床暖房パネルを提供できるに至った。
【００１５】
本発明の第３特徴構成は、加熱用長尺体が装備された板状のパネル形成体と小根太とを並べて構成されるパネル本体と、そのパネル本体の表面側に前記パネル形成体と前記小根太とにわたって止着されるシート状均熱体とが備えられ、前記シート状均熱体に、前記小根太の表面に対応する小根太用均熱体部分と前記パネル形成体の表面に対応するパネル形成体用均熱体部分とを切り離す又は切り離すための切れ目又は脆弱接続部が形成されている床暖房パネルであって、前記シート状均熱体における前記切れ目又は脆弱接続部が、前記パネル形成体と前記小根太との並び方向において、それらの境界に対応する位置から外れた位置に形成されている点にある。
【００１６】
第３特徴構成によれば、前記シート状均熱体における前記切れ目又は前記脆弱接続部が、前記パネル形成体と前記小根太との並び方向において、それらの境界に対応する位置から外れた位置に形成されているから、シート状均熱体が前記境界に対応する位置において分離されることがなく、パネル形成体と小根太とにわたって連なる状態で止着される部分が存在することになる。
【００１７】
そして、そのシート状均熱体におけるパネル形成体と小根太とにわたって連なる状態で止着される部分により小根太のパネル本体の表裏方向への移動が阻止されることになるので、設置作業を行う場合等において、パネル本体の表裏方向が上下に向いているときであっても、小根太が下方側に外れて脱落することを防止することができる。このように小根太がパネル形成体から外れて脱落することを抑制できることになり、作業性の向上を図ることが可能になる。
【００１８】
従って、第３特徴構成によれば、小根太がパネル形成体から外れて脱落することを抑制して作業性の向上を図ることが可能な床暖房パネルを提供できるに至った。
【００１９】
本発明の第４特徴構成は、第１特徴構成〜第３特徴構成のいずれかに加えて、前記シート状均熱体における前記パネル形成体用均熱体部分のうちの前記小根太に隣接する小根太隣接部分に止着される状態で帯状の分離用非接着層が備えられ、前記シート状均熱体のうちの前記小根太用均熱体部分とそれに隣接する前記分離用非接着層とからなる小根太対応箇所に、前記小根太用均熱体部分及び前記分離用非接着層のうちの少なくとも前記分離用非接着層を覆う状態で、且つ、前記シート状均熱体が前記パネル形成体に止着される止着力よりも弱い接着力にて前記分離用非接着層に貼着される状態で帯状の接着性シートが備えられている点にある。
【００２０】
第４特徴構成によれば、前記帯状の分離用非接着層が、前記パネル形成体用均熱体部分のうちの小根太に隣接する小根太隣接部分に止着される状態で備えられ、しかも、帯状の接着性シートが、小根太とそれに隣接する分離用非接着層とからなる小根太対応箇所に、小根太及び分離用非接着層を覆う状態で設けられるので、床暖房パネルの表面に床仕上げ材を敷設するときには、床仕上げ材用接着剤が小根太の上方箇所に塗付されるが、床仕上げ材用接着剤が塗付されたのちに床仕上げ材を敷設するときに床仕上げ材にて押されて広がることがあっても、床仕上げ材用接着剤は接着性シートの表面に留まり接着性シートの裏面側に影響を与えるおそれがない。
【００２１】
そして、床仕上げ材と接着性シートとは床仕上げ材用接着剤にて強い接着力で接着させることになるが、接着性シートと分離用非接着層とは、パネル形成体用均熱体がパネル形成体に止着される止着力よりも弱い接着力にて貼着されており、しかも、床仕上げ材用接着剤は接着性シートの表面に留まり接着性シートの裏面側に対して影響を与えるおそれがないので、接着性シートと分離用非接着層との間での接着力が弱い状態を維持できることになるのであり、床仕上げ材を床暖房パネルから剥すときには、床仕上げ材に強い接着力で接着されている接着性シートが分離用非接着層から剥がれることになり、床仕上げ材を剥すときにパネル形成体用均熱体が剥がれるのを防止することが可能となる。
【００２２】
前記分離用非接着層を設ける範囲は前記小根太隣接部分に限られ、しかも、前記接着性シートを設ける範囲は前記小根太対応箇所に限られる。つまり、前記分離用非接着層や前記接着性シートを設ける範囲を狭くすることができるので、床仕上げ材を剥すときにパネル形成体用均熱体が損傷するのを抑制するための構成を低廉化を図ることが可能な構成にすることができる。
【００２３】
従って、第４特徴構成によれば、低廉化を図ることが可能な構成にて、床仕上げ材を剥がすときの損傷を抑制することが可能となる床暖房パネルを提供できるに至った。
【発明を実施するための最良の形態】
【００２４】
〔第１実施形態〕
以下、図面に基づいて、本発明の第１実施形態を説明する。
図１に示すように、床暖房パネルＰＨは、暖房対象の床の略中央に敷き、床暖房パネル用周辺パネル（以下、単に周辺パネルと記載する場合がある）ＰＡは、床暖房パネルＰＨと暖房対象の床を区画する壁等の床区画材（図示省略）との間に敷き込み、それら床暖房パネルＰＨの表面及び周辺パネルＰＡの表面の全面にわたって、木質材等から形成された床仕上げ材１を敷設して、床暖房パネルＰＨの加熱作用により床仕上げ材１を昇温させて、床暖房するように構成してある。
【００２５】
図２に示すように、前記床暖房パネルＰＨは、加熱用長尺体としての熱媒流通管２が装備された板状のパネル形成体４と小根太５とを並べて構成されるパネル本体４０と、そのパネル本体４０の表面側に前記パネル形成体４と前記小根太５とにわたって止着されるシート状均熱体３とを備え、前記シート状均熱体３に、前記小根太５の表面に対応する小根太用均熱体部分３Ｋと前記パネル形成体４の表面に対応するパネル形成体用均熱体部分３Ｐとを切り離す又は切り離すための切れ目３ｓを形成してある。この実施形態では、複数の小根太５をその小根太５の幅方向に間隔を隔てて並設して構成してある。
【００２６】
前記床暖房パネルＰＨについて説明を加える。
図１及び図２に示すように、前記パネル形成体４は、外形形状が矩形状になるように並べた複数の矩形状のパネル単位体６にて構成してあり、この矩形状のパネル形成体４に、前記複数の小根太５を、その長手方向の一部分に小根太５が存在しない小根太不存在部分７を形成する状態で、前記パネル形成体４の一辺方向に所定のピッチで並設してある。
【００２７】
具体的には、図３及び図４に示すように、パネル形成体４に、小根太５を嵌入するための小根太嵌入部４ｋを、上述の如き複数の小根太５の配置パターンに対応させて、パネル形成体４の厚さ方向に貫通する開口状にて形成してある。そして、前記パネル形成体４の厚さと同じ厚さの小根太５を各小根太嵌入部４ｋに嵌入することにより、パネル形成体４に前記複数の小根太５を並設する構成としてある。
【００２８】
図２に示すように、前記熱媒流通管２は、パネル形成体４の表面側に、前記小根太不存在部分７を通過させる状態で、パネル形成体４の略全面にわたって蛇行状に装備し、その熱媒流通管２の両端部を、パネル形成体４の角部に配設した熱媒給排用のヘッダ８に接続してある。すなわち、図３及び図４に示すように、パネル形成体４の表面側に、図２に示す如き熱媒流通管２の配設パターンに対応させて、熱媒流通管２を収納するための溝部４ｍを形成し、この溝部４ｍに前記熱媒流通管２を収納してある。
【００２９】
そして、前記ヘッダ８を熱媒往き路及び熱媒戻し路（図示省略）にて熱源機（図示省略）に接続して、その熱源機により、熱媒流通管２を通して熱媒を循環させるように構成してある。
【００３０】
図２及び図３に示すように、上述のように熱媒流通管２を装備し且つ複数の小根太５を並設したパネル形成体４の表面の全面にわたって、熱伝導率の高いアルミ箔等のシート状体からなるシート状均熱体３を止着する状態で設けてある。このシート状均熱体３は、アルミ箔等のシート状体の裏面に粘着剤層を備えさせて接着自在な構成となっている。前記シート状均熱体３における各小根太不存在部分７の上部に対応する部分には、釘打ちを禁止する領域であることを示す釘打ち禁止シール９を貼付してある。
【００３１】
そして、図２、図３及び図４に示すように、前記シート状均熱体３に、小根太５とパネル形成体４との境界に沿って、その境界の全長にわたるように切れ目３ｓを形成してある。つまり、前記シート状均熱体３を、前記切れ目３ｓにより、パネル形成体４の表面に貼着されたパネル形成体用均熱体部分３Ｐと小根太５の表面に貼着された小根太用均熱体部分３Ｋとに切り離す構成となっている。
【００３２】
詳細な説明及び図示を省略するが、前記パネル形成体４は、隣接するパネル単位体６同士を山折り又は谷折り状に折り曲げ自在に接続して、前記パネル形成体４を、複数のパネル単位体６を重ねる状態で、所定の形態に折り畳み可能なように構成してある。
【００３３】
ちなみに、前記パネル形成体４は、熱伝導率が低い発泡ポリスチレン等の発泡樹脂製であり、断熱性を有すると共に軽量化が可能となり、前記熱媒流通管２は、架橋ポリエチレン、ポリブテン等の樹脂製で可撓性を有している。又、前記小根太５は、ビスの螺入が可能な木質材にて構成されている。
【００３４】
そして、前記シート状均熱体３における前記パネル形成体用均熱体部分３Ｐのうちの前記小根太５に隣接する小根太隣接部分３Ｐｒに止着される状態で帯状の分離用非接着層１０を備えており、前記シート状均熱体３のうちの前記小根太用均熱体部分３Ｋとそれに隣接する前記分離用非接着層１０とからなる小根太対応箇所１１に、前記小根太５及び前記分離用非接着層１０を覆う状態で、且つ、前記シート状均熱体が前記パネル形成体４に止着される止着力よりも弱い接着力にて前記分離用非接着層１０に貼着される状態で帯状の接着性シート１２を備えて構成してある。
【００３５】
以下、具体的な構成について説明する。
図３及び図４に示すように、前記複数の小根太５の夫々に対して、２本の帯状の分離用シート１３を、小根太５の幅方向に振り分けた状態で、且つ、夫々が小根太５の長手方向の略全長にわたって、前記シート状均熱体３におけるパネル形成体用均熱体部分３Ｐのうちの小根太隣接部分３Ｐｒに貼着して設けてある。この分離用シート１３の小根太隣接部分３Ｐｒに対する接着力は、パネル形成体４とパネル形成体用均熱体部分３Ｐとの間での接着力と同じ程度に強い接着力にしてある。
従って、この実施形態では、前記２本の分離用シート１３により、前記帯状の分離用非接着層１０を構成してある。
【００３６】
ちなみに、この分離用シート１３の粘着層形成面は、粘着剤が存在する粘着剤層と粘着剤が存在しない非粘着層とが交互に設けられるストライプ状に構成され、パネル形成体用均熱体部分３Ｐの小根太隣接部分３Ｐｒに貼着する際に、分離用シート１３とパネル形成体用均熱体部分３Ｐとの間に空気溜りが形成されるのを未然に防止するようにしている。この空気溜りは床に設置されたのちに音鳴りの要因となるものである。
【００３７】
前記分離用シート１３は、シリコン樹脂―ＰＥＴ（ポリエチレンテレフタレート）多層体（以下、シリコンＰＥＴという）にて構成してある。このシリコンＰＥＴは、図８に示すように、ＰＥＴにて構成されるシート状本体部１３ａの表面側にシリコン樹脂層１３ｂを備え、裏面側には貼着用の粘着剤層１３ｃを備えて構成される。そして、ＰＥＴやシリコン樹脂等は本来は透明又は半透明であるが、前記分離用シート１３は、例えば、表面のシリコン樹脂層１３ｂに着色剤を含有させて着色する構成となっている。このように着色することで、作業者が張り付け作業を行うときに見易くなって、作業を行い易いものにできる。
【００３８】
着色剤を含ませるのは、シリコン樹脂層１３ｂに限らず、図８（ロ）に示すように粘着剤層１３ｃに含ませるようにしたり、図８（ハ）に示すようにシート状本体部１３ａに含ませるようにしたり、あるいは、図８（ニ）に示すようにシート状本体部１３ａの裏面に着色印刷層１３ｄを形成する構成としてもよい。なお、分離用シート１３の強度を十分に保つことができる場合は、シート状本体部１３ａは設けなくてもよい。
【００３９】
このように、前記分離用非接着層１０を、パネル形成体用均熱体部分３Ｐにおける小根太隣接部分３Ｐｒの表面に、接着性シート１２との間での接着力よりも強い接着力にて貼着される帯状の分離用シート１３にて構成してある。
【００４０】
そして、この床暖房パネルＰＨには、複数の前記小根太５の夫々とそれら夫々に隣接する前記分離用非接着層１０とからなる複数の小根太対応箇所１１の夫々に、前記小根太５及び前記分離用非接着層１０を覆う状態での接着性シート１２を設けてある。
この帯状の接着性シート１２は、熱伝導率が高く且つ床仕上げ材用接着剤を浸透させないシート状体にて構成され、その裏面に粘着剤層を備える構成となっており、粘着剤層を介して２本の分離用シート１３及び小根太用均熱体部分３Ｋの夫々に貼着させる構成としてある。この接着性シート１２は、その幅方向端縁が２本の分離用シート１３の並び方向外方側の端縁よりも少し幅方向内側に位置するように幅狭に形成され、接着性シート１２を貼着させるときに、パネル形成体用均熱体部分３Ｐに貼着されることがないように構成している。
【００４１】
前記分離用シート１３の表面はシリコン樹脂層１３ｂにて構成されるから、接着性シート１２と分離用シート１３との間での接着力は、アルミ箔等のシート状体にて構成される前記小根太用均熱体部分３Ｋとの間での接着力に較べて弱い状態となり、剥し易い状態となるものである。言い換えると、接着性シート１２が分離用シート１３に貼着される接着力は、パネル形成体４に対するパネル形成体用均熱体部分３Ｐの接着力、及び、後述する床仕上げ材用接着剤１６（図５参照）により床仕上げ材１を接着性シート１２に接着させる接着力よりも弱くしてある。
【００４２】
つまり、この実施形態では、帯状の接着性シート１２は、パネル形成体用均熱体部分３Ｐがパネル形成体４に止着される止着力よりも弱い接着力にて分離用非接着層１０に貼着されることになる。このような特性を有する限り、前記分離用シート１３の表面の材質はシリコン樹脂に限定されない。
【００４３】
そして、この床暖房パネルＰＨでは、パネル本体４０の裏面側に前記パネル形成体と前記小根太とにわたって止着される帯状のシート状保持体１４が備えられている。すなわち、パネル本体４０の裏面側に、図４及び図５に示すように、前記複数の小根太５の夫々に対応させて、前記パネル形成体４の裏面側に、前記小根太５の裏面部及び前記パネル形成体４の前記小根太５に隣接する裏側小根太隣接部分４ｒにわたる状態で、且つ、床暖房パネルＰＨの小根太長手方向略全長にわたり延びる状態でシート状保持体１４を止着してある。
【００４４】
このシート用保持体１４は、帯状の市販の不織布テープあるいは養生テープと称されるような合成樹脂を基材にして所定の強度を備える粘着テープ等にて構成され、このようなシート用保持体１４を備えることにより、床暖房パネルＰＨを工場から出荷して移送するときや施工現場で作業するとき等において、パネル本体４０の表裏方向が上下に向いている場合であっても小根太５がパネル形成体４から下方側に外れて脱落することを抑制できることになる。
【００４５】
図２、図３及び図５に示すように、前記釘打ち禁止シール９を相似的に拡大した形状の禁止シール覆い用弱接着性テープ１５を、釘打ち禁止シール９上に、その全周からはみ出させる状態で貼着してある。
釘打ち禁止シール９及びパネル形成体用均熱体部分３Ｐに対する禁止シール覆い用弱接着性テープ１５の接着力は、パネル形成体４に対するパネル形成体用均熱体部分３Ｐの接着力、及び、後述する床仕上げ材用接着剤１６により床仕上げ材１を禁止シール覆い用弱接着性テープ１５に接着させる接着力よりも弱くしてある。
【００４６】
次に、前記周辺パネルＰＡの構成について簡単に説明する。
周辺パネルＰＡは、前記小根太５の長手方向の側方に配置する長手方向側の周辺パネル本体部３１を備えた小根太長手方向側の周辺パネルＰＡｍと、複数の小根太５の並び方向の側方に配置する並び方向側の周辺パネル本体部３２を備えた小根太並び方向側の周辺パネルＰＡｎとがあり、これらの周辺パネルには、複数の周辺パネル用小根太３３、３６を備えている。
【００４７】
前記各周辺パネル本体部３１，３２の表面に、前記接着性シート１２の幅と同一の幅に形成した接着性帯状体３５，３８を前記床暖房パネルＰＨにおける小根太５の長手方向に沿わせて貼着してある。これらの接着性帯状体３５，３８は、床仕上げ材用接着剤１６を浸透させないアルミ箔等のシート状体の裏面に粘着剤層を備えて構成してあり、周辺パネル用小根太３３，３６及びパネル単位体３４，３７に接着させる接着力を、パネル形成体４に対するパネル形成体用均熱体部分３Ｐの接着力、及び、床仕上げ材用接着剤１６により床仕上げ材１を接着性帯状体３８に接着させる接着力よりも弱くしてある。
【００４８】
この床暖房パネルＰＨは、図４に示すように、パネル本体４０の表面側には前記分離用シート１３及び前記接着性シート１２を貼着し、パネル本体４０の裏面側にはシート状保持体を貼着する状態になるまで、工場にて加工した状態で施工現場に向けて出荷するようにしてある。そして、床暖房パネルＰＨを暖房対象の床に敷設する場合には、図５に示すように、床下地材１７の表面に接着剤（図示省略）を塗布して、床暖房パネルＰＨを暖房対象の床における所定の位置に敷き、図示はしないがビスを各小根太５における長手方向の適宜箇所において、幅方向の中間部分から床下地材１７に達するように捩じ込んで、床暖房パネルＰＨを接着剤とビスとにより床下地材１７に固定する。又、周辺パネルＰＡも同様に接着剤により、床下地材１７に固定する。
【００４９】
そして、上述のように敷設した床暖房パネルＰＨ及び周辺パネルＰＡの表面に床仕上げ材１を敷設することになるが、そのとき、図５に示すように、前記接着性シート１２の上面における幅方向の中央に対応する箇所に、小根太の長手方向に沿って床仕上げ材用接着剤１６を塗布する。そして、上方に床仕上げ材１を載置して小根太５上の適宜箇所に釘を打ち込み、床暖房パネルＰＨの表面に、床仕上げ材１を釘と床仕上げ材用接着剤１６にて固定する状態で敷設する。図示はしないが、周辺パネルＰＡも同様に、その表面に床仕上げ材１を床仕上げ材用接着剤１６にて固定する状態で敷設する。
【００５０】
そのように、床暖房パネルＰＨの表面に床仕上げ材１を敷設すると、図６に示すように、床仕上げ材用接着剤１６が床仕上げ材１に押し付けられて広がることになるが、前記接着性シート１２の表面に留まり、パネル形成体用均熱体部分３Ｐとパネル形成体との間に入り込むことはない。
【００５１】
そして、多数の床仕上げ材１のうちのいずれかのものが傷つく等により張り替える必要があるときは、その傷ついた床仕上げ材１だけを剥して張り替えることになる。床仕上げ材１を張り替えるときは、先ず、張り替え対象となる床仕上げ材１について、その釘打ち箇所を除いて床仕上げ材１の周囲を鋸等によって切断して剥すことになるが、図７に示すように、床仕上げ材１を床暖房パネルＰＨから剥がすと、その床仕上げ材１に床仕上げ材用接着剤１６にて接着されている接着性シート１２が分離用シート１３から離間して一緒に剥がれる。
【００５２】
このとき、接着性シート１２と小根太用均熱体部分３Ｋとは強い接着力で貼着されているから、小根太用均熱体部分３Ｋも一緒に剥がれることがあるが、この小根太用均熱体部分３Ｋは前記パネル形成体用均熱体部分３Ｐとは切れ目３ｓによって分離されているから、前記パネル形成体用均熱体部分３Ｐや前記パネル形成体４の損傷を防止することができる。床仕上げ材１を剥すときに、釘打ち禁止シール９を覆っている禁止シール覆い用弱接着性テープ１５も剥がれることになるが、釘打ち禁止シール９が損傷するのを防止することができる。
【００５３】
そして、床仕上げ材１が剥された跡に別の新たな床仕上げ材１を敷設するときには、前記分離用シート１３の上方側に位置させて接着性シート１２を貼着させたのちに床仕上げ材１を貼着させるようにしておくと、再度、その床仕上げ材１を剥すときにも、パネル形成体用均熱体部分３Ｐやパネル形成体４の損傷を防止することが可能となる。
【００５４】
〔第２実施形態〕
この実施形態では、前記接着性シート１２の構成、パネル形成体に対する小根太５の保持構成が異なる他は、第１実施形態の構成と同じであるから、異なる構成についてのみ説明し、同じ構成については説明は省略する。
【００５５】
つまり、第１実施形態では、前記パネル本体４０の裏面側に前記パネル形成体と前記小根太とにわたって止着されるシート状保持体が備えられる構成としたが、この第２実施形態では、このようなシート状保持体を備えるのではなく、前記パネル形成体４と前記小根太５とが、前記パネル本体４０の表裏方向に沿う相対移動が阻止されるように係合される構成としてある。
【００５６】
又、この実施形態では、第１実施形態と同様に、前記シート状均熱体３における前記パネル形成体用均熱体部分３Ｐのうちの小根太５に隣接する小根太隣接部分３Ｐｒに止着される状態で帯状の分離用非接着層１０が備えられるが、この分離用非接着層１０に、その分離用非接着層１０を覆う状態で、且つ、シート状均熱体３がパネル形成体４に止着される止着力よりも弱い接着力にて貼着される状態で帯状の接着性シート１２が備えられる構成となっている。
【００５７】
すなわち、図９に示すように、第１実施形態と同様に、２本の帯状の分離用シート１３を、小根太５の幅方向に振り分けた状態で、且つ、夫々が小根太５の長手方向の略全長にわたって、パネル形成体用均熱体部分３Ｐの小根太隣接部分３Ｐｒに貼着して設けてあり、これらの２本の分離用シート１３により、帯状の分離用非接着層１０を構成してある。そして、これら２本の分離用シート１３の夫々に、それらの分離用シート１３を覆う状態で、且つ、パネル形成体用均熱体部分３Ｐがパネル形成体４に止着される止着力よりも弱い接着力にて貼着される状態で帯状の一対の接着性シート１２が備えられている。従って、この実施形態では、１本の小根太５に対して２本の接着性シート１２が備えられる構成となっている。
【００５８】
そして、図９に示すように、前記小根太５における左右両側部の上下中央部に左右両側外方に向けて突出する断面矩形状の突条係合部５Ａを一体的に形成してある。つまり、木質材を突条係合部５Ａを形成するように一体的に加工して形成されるものであり、前記突条係合部５Ａは、小根太５の長手方向全長にわたって形成されていてもよく、または部分的に形成されていてもよい。
【００５９】
又、パネル形成体４における小根太５が対向する側面には、前記突条係合部５Ａが嵌り合い係合する凹溝４１が形成されており、小根太５とパネル形成体４とを並べた状態（図９参照）では、突条係合部５Ａと凹溝４１とが嵌り合い係合して、それらの係合によって、パネル形成体４と小根太５とのパネル本体４０の表裏方向に沿う相対移動が阻止されることになる。
【００６０】
そして、この第２実施形態において、床仕上げ材１を剥す場合には、第１実施形態と同様に、図１０に示すように、床仕上げ材１を床暖房パネルＰＨから剥がすと、それと一緒に、その床仕上げ材１に床仕上げ材用接着剤１６にて接着されている接着性シート１２が分離用シート１３から離間して一緒に剥がれ、小根太用均熱体部分３Ｋも一緒に剥がれる。この小根太用均熱体部分３Ｋは前記パネル形成体用均熱体部分３Ｐとは切れ目３ｓによって分離されているから、前記パネル形成体用均熱体部分３Ｐや前記パネル形成体４の損傷を防止することができる。
【００６１】
前記パネル形成体４と前記小根太５とが、前記パネル本体４０の表裏方向に沿う相対移動を阻止するために係合する構成としては、図９の示す形状に限らず、例えば、図１１に示すように、小根太５の上下方向の両端部に横幅方向外方に突出する断面三角形状の突条係合部５Ｂを形成し、パネル形成体４における小根太５が対向する側面には突条係合部５Ｂが嵌り合い係合する凹溝４２を形成する構成としてもよい。
【００６２】
又、図１２に示すように、小根太５の断面形状を下部側が幅狭で且つ上部側が幅広の台形形状に構成して、前記パネル形成体４における小根太５が対向する側面４３を、台形形状の小根太５に係合するように斜め姿勢の傾斜面に形成する構成としてもよく、小根太５とパネル形成体４とが係合する構成としては種々の形状のものを用いることができる。
【００６３】
そして、このように構成しておくと、パネル形成体４と小根太５とが、パネル本体４０の表裏方向に沿う相対移動が阻止されるので、床暖房パネルＰＨを工場から出荷して移送するときや施工現場で作業するとき等において、パネル本体４０の表裏方向が上下に向いている場合であっても小根太５がパネル形成体４から下方側に外れて脱落することを抑制できることになる。
【００６４】
〔第３実施形態〕
この実施形態では、前記接着性シート１２の構成、パネル形成体に対する小根太５の保持構成が異なる他は、第１実施形態の構成と同じであるから、異なる構成についてのみ説明し、同じ構成については説明は省略する。
【００６５】
つまり、第１実施形態では、前記シート状均熱体における前記切れ目を前記パネル形成体と前記小根太との境界に対応する位置に形成して、前記パネル本体４０の裏面側に前記パネル形成体と前記小根太とにわたって止着されるシート状保持体１４が備えられる構成としたが、この第３実施形態では、このようなシート状保持体１４を備えるのではなく、前記シート状均熱体３における前記切れ目３ｓを、前記パネル形成体４と前記小根太５との並び方向において、それらの境界に対応する位置から外れた位置に形成する構成としてある。
【００６６】
又、この実施形態では、第２実施形態と同様に、前記分離用非接着層１０に、その分離用非接着層１０を覆う状態で、且つ、前記シート状均熱体３が前記パネル形成体４に止着される止着力よりも弱い接着力にて貼着される状態で帯状の接着性シート１２が備えられる構成となっているが、この点については、第２実施形態と同じであるから、ここでは説明は省略する。
【００６７】
そして、この実施形態では、前記シート状均熱体３における前記切れ目３ｓを、前記パネル形成体４と前記小根太５との並び方向において、それらの境界に対応する位置から外れた位置、すなわち、図１３に示すように、前記境界に対応する位置から小根太５の横幅方向の中央側に外れた位置に形成する構成となっている。
【００６８】
この構成では、前記切れ目３ｓにて前記シート状均熱体３が分離しても、前記シート状均熱体３における切れ目３ｓよりも小根太５の横幅方向外方側に存在する部分、すなわち、パネル形成体用均熱体部分３Ｐがパネル形成体４と小根太５とにわたって連なる状態で止着されることになり、そのような止着状態が維持されることになる。
従って、このように構成しておくと、床暖房パネルＰＨを工場から出荷して移送するときや施工現場で作業するとき等において、パネル本体４０の表裏方向が上下に向いている場合であっても小根太５がパネル形成体４から下方側に外れて脱落することを抑制できることになる。
【００６９】
この第３実施形態において、床仕上げ材１を剥す場合には、第１実施形態と同様に、図１４に示すように、床仕上げ材１を床暖房パネルＰＨから剥がすと、それと一緒に、その床仕上げ材１に床仕上げ材用接着剤１６にて接着されている接着性シート１２が分離用シート１３から離間して一緒に剥がれ、小根太用均熱体部分３Ｋも一緒に剥がれる。この小根太用均熱体部分３Ｋはパネル形成体用均熱体部分３Ｐとは切れ目３ｓによって分離されているから、パネル形成体用均熱体部分３Ｐやパネル形成体４の損傷を防止することができる。
【００７０】
又、前記切れ目３ｓは、前記境界に対応する位置から小根太５の横幅方向の中央側に寄った位置に形成する構成に限らず、前記境界に対応する位置から小根太５の横幅方向の外方側に外れた位置に形成する構成としてもよい。
【００７１】
〔別実施形態〕
以下、別実施形態を列記する。
【００７２】
（１）上記各実施形態では、前記シート状均熱体に前記小根太用均熱体部分と前記パネル形成体用均熱体部分とを切り離す切れ目が形成される構成としたが、このような構成に代えて、前記シート状均熱体に前記小根太用均熱体部分と前記パネル形成体用均熱体部分とを切り離すための脆弱接続部を形成する構成としてもよい。
【００７３】
例えば、図１５に示すように、前記脆弱接続部としてのミシン目３Ｃを形成する構成としてもよい。このようなミシン目３Ｃを作成する方法としては、図１６に示すような放射状の多数の突起２０を形成した円盤状回転体２１を備えたミシン目作成装置２２を用いて行うようにするとよい。このようなミシン目作成装置２２を用いると、図１７に示すように、円盤状回転体２１にて前記シート状均熱体３に対してその厚み方向に押し込むことで孔をあけるので、シート状均熱体３の裏面側に備えられる粘着層ｎの粘着材が突起２０に付着堆積するおそれがなく、良好な加工状態を維持できることになる。
【００７４】
前記脆弱接続部としては、ミシン目に限らず、図示は省略するが、他の部分よりも厚さの薄い薄肉部にて構成することができる。
【００７５】
（２）上記第１実施形態では、前記シート状保持体が、前記小根太の裏面部及び前記パネル形成体の前記小根太に隣接する裏側小根太隣接部分にわたる状態で設けられる構成としたが、このシート状保持体をパネル本体の裏面側の全面にわたる状態で設ける構成としてもよい。
【００７６】
（３）上記各実施形態では、前記接着性シートを、アルミ箔等のシート状体の裏面に接着剤層を備えさせて形成するようにしたが、樹脂製のシート状体の裏面に接着剤層を備えさせることにより形成しても良く、又、このような接着性シートを備えない構成としてもよい。
【００７７】
（４）上記各実施形態では、前記分離用非接着層を構成する帯状の分離用シートが、シリコンＰＥＴにて構成されるものを例示したが、これ以外に、例えば、ポリエチレン、ポリプロピレン、フッ素樹脂等からなるシート状体を用いることができる。又、このような分離用シートにて形成するものに限らず、前記分離用非接着層としては、前記パネル形成体用均熱体の表面に非接着性の樹脂剤を塗布することにより形成するものでもよく、又、このような分離用非接着層を備えない構成としてもよい。
【００７８】
（５）上記各実施形態では、複数の小根太を、その長手方向の一部分に小根太が存在しない小根太不存在部分を形成する状態で、その小根太の幅方向の間隔を隔てて並設する場合について例示したが、複数の小根太をその長手方向の一部分に前述のような小根太不存在部分を形成することなく、その小根太の幅方向の間隔を隔てて並設しても良い。
【００７９】
（６）上記実施形態では、前記加熱用長尺体として熱媒を通流させる熱媒流通管を用いる構成としたが、電気ヒータ等を用いて良い。
【図面の簡単な説明】
【００８０】
【図１】第１実施形態に係る床暖房パネル及び床暖房パネル用周辺パネルの敷設状態を示す一部切り欠き平面図
【図２】第１実施形態に係る床暖房パネルの一部切り欠き全体平面図
【図３】第１実施形態に係る床暖房パネルの要部の一部切り欠き斜視図
【図４】図３におけるイ−イ矢視図
【図５】第１実施形態に係る床暖房パネルの敷設作業を説明する要部の縦断面図
【図６】第１実施形態に係る床暖房パネルの敷設作業を説明する要部の縦断面図
【図７】第１実施形態に係る床仕上げ材の更新作業を説明する要部の縦断面図
【図８】第１実施形態に係る分離用シートの着色状態を示す縦断面図
【図９】第２実施形態に係る床暖房パネルの敷設作業を説明する要部の縦断面図
【図１０】第２実施形態に係る床仕上げ材の更新作業を説明する要部の縦断面図
【図１１】第２実施形態の変形例に係る床暖房パネルの要部の縦断面図
【図１２】第２実施形態の変形例に係る床暖房パネルの要部の縦断面図
【図１３】第３実施形態に係る床暖房パネルの敷設作業を説明する要部の縦断面図
【図１４】第３実施形態に係る床仕上げ材の更新作業を説明する要部の縦断面図
【図１５】別実施形態に係る床暖房パネルの要部の一部切り欠き斜視図
【図１６】別実施形態に係るミシン目作成装置を示す図
【図１７】別実施形態に係るミシン目の作成作業の説明する要部の縦断面図
【符号の説明】
【００８１】
２      加熱用長尺体
３      シート状均熱体
３Ｋ    小根太用均熱体部分
３Ｐ    パネル形成体用均熱体部分
３Ｐｒ  小根太隣接部分
３ｓ    切れ目
３Ｃ    脆弱接続部
４      パネル形成体
５      小根太
１０    分離用非接着層
１１    小根太対応箇所
１２    接着性シート
１４    シート状保持体
【図１】
2008175492.tif 000003
【図２】
2008175492.tif 000004
【図３】
2008175492.tif 000005
【図４】
2008175492.tif 000006
【図５】
2008175492.tif 000007
【図６】
2008175492.tif 000008
【図７】
2008175492.tif 000009
【図８】
2008175492.tif 000010
【図９】
2008175492.tif 000011
【図１０】
2008175492.tif 000012
【図１１】
2008175492.tif 000013
【図１２】
2008175492.tif 000014
【図１３】
2008175492.tif 000015
【図１４】
2008175492.tif 000016
【図１５】
2008175492.tif 000017
【図１６】
2008175492.tif 000018
【図１７】
2008175492.tif 000019